(57)【特許請求の範囲】
【請求項１】
各メーカが保有するＣＡＤ図面情報とＣＡＤ図面に関連する機器仕様に関する情報のうち少なくとも一方のＣＡＤ情報が保存元アドレス情報に対応づけて格納されて各メーカに配置されている複数のデータベースと、
前記複数のデータベースにそれぞれ通信網を介して接続され、前記データベースに格納されたＣＡＤ情報を検索して読み出す機能を有するユーザ端末とを備え、
前記ユーザ端末は、検索対象のＣＡＤ情報を指定する情報を入力する入力部と、該入力部により指定されたＣＡＤ情報の保存先アドレス情報に基づいて前記通信網を介して前記データベースを検索し、該保存先アドレス情報に対応する前記保存元アドレス情報のＣＡＤ情報を読み出す検索部と、該検索部により読み出されたＣＡＤ情報をディスプレイに表示する表示制御部とを有して構成されてなるＣＡＤ情報管理システム。
【請求項２】
各メーカが保有するＣＡＤ図面情報とＣＡＤ図面に関連する機器仕様に関する情報のうち少なくとも一方のＣＡＤ情報がその更新履歴情報とともに保存元アドレス情報に対応づけて格納されて各メーカに配置されている複数のデータベースと、
前記複数のデータベースにそれぞれ通信網を介して接続され、前記データベースに格納されたＣＡＤ情報を検索して読み出す機能を有するユーザ端末とを備え、
前記ユーザ端末は、検索対象のＣＡＤ情報を指定する保存先アドレス情報を入力する入力部と、該入力部により指定された保存先アドレス情報に基づいて前記通信網を介して前記データベースを検索し、該保存先アドレス情報に対応する前記保存元アドレス情報のＣＡＤ情報と更新履歴情報を読み出す検索部と、該検索部により読み出されたＣＡＤ情報と更新履歴情報をディスプレイに表示する表示制御部とを有して構成されてなるＣＡＤ情報管理システム。
【請求項３】
各メーカが保有するＣＡＤ図面情報とＣＡＤ図面に関連する機器仕様に関する情報のうち少なくとも一方のＣＡＤ情報がその更新履歴情報とともに保存元アドレス情報に対応づけて格納されて各メーカに配置されている複数のデータベースと、
前記複数のデータベースにそれぞれ通信網を介して接続されて前記各データベースと情報の授受を行うサーバと、
前記サーバと情報伝送路を介して接続され、前記サーバと情報の授受を行うユーザ端末とを備え、
前記ユーザ端末は、検索対象のＣＡＤ情報を指定する情報を入力するとともに、該入力により指定されたＣＡＤ情報の検索を前記サーバに要請する入出力部と、該要請に応じて前記サーバから転送される検索結果のＣＡＤ情報をディスプレイに表示する機能を有し、
前記サーバは、前記ユーザ端末からの検索要請に応答して前記指定されたＣＡＤ情報に対応した保存先アドレス情報を抽出し、この保存先アドレス情報を基に前記データベースの保存元アドレス情報を検索し、前記データベースから前記保存元アドレス情報に対応したＣＡＤ情報とこの情報に付加された更新履歴情報を読み出して前記ユーザ端末に転送する機能を有して構成されてなるＣＡＤ情報管理システム。
【請求項４】
請求項２に記載のＣＡＤ情報管理システムにおいて、前記複数のデータベースは前記ＣＡＤ情報を管理する情報管理手段に接続され、前記情報管理手段は、前記ユーザ端末から前記ＣＡＤ情報の更新要求があったとき、該更新要求に対する承認の要否に関する判定結果を前記ユーザ端末に出力し、前記ユーザ端末は、前記情報管理手段から更新要求を承認する判定結果を受けたとき、前記複数のデータベースのＣＡＤ情報を更新するとともに、更新された情報に更新に関する更新履歴情報を付加することを特徴とするＣＡＤ情報管理システム。
【請求項５】
請求項１、２、３または４のうちいずれか１項に記載のＣＡＤ情報管理システムにおいて、前記複数のデータベースには、前記ＣＡＤ情報が互いに重複して格納されてなることを特徴とするＣＡＤ情報管理システム。
【請求項６】
各メーカが保有するＣＡＤ図面情報とＣＡＤ図面に関連する機器仕様に関する情報のうち少なくとも一方のＣＡＤ情報を保存元アドレス情報に対応づけて各メーカに配置されている複数のデータベースに格納し、該複数のデータベースの前記ＣＡＤ情報を情報管理手段により管理し、前記複数のデータベースにそれぞれ通信網を介して接続されたユーザ端末から検索対象のＣＡＤ情報を指定する情報を入力し、該指定されたＣＡＤ情報の保存先アドレス情報に基づいて前記通信網を介して前記データベースを検索し、該保存先アドレス情報に対応する前記保存元アドレス情報のＣＡＤ情報を読み出して前記ユーザ端末のディスプレイに表示するＣＡＤ情報管理方法。
【請求項７】
請求項６に記載のＣＡＤ情報管理方法において、前記情報管理装置に前記ユーザ端末からＣＡＤ情報の更新要求が入力されたときに、前記情報管理装置は、前記ユーザ端末からの更新要求に対する承認の要否に関する判定結果を前記ユーザ端末に出力し、前記ユーザ端末は、前記情報管理装置から更新要求を承認したとの判定結果を受けたときには前記複数のデータベースのＣＡＤ情報を更新するとともに、更新された情報に更新に関する更新履歴情報を付加することを特徴とするＣＡＤ情報管理方法。
【請求項８】
各メーカが保有するＣＡＤ図面情報とＣＡＤ図面に関連する機器仕様に関する情報のうち少なくとも一方のＣＡＤ情報を保存元アドレス情報に対応づけて複数のデータベースに格納し、前記各データベースをそれぞれ通信網を介してサーバに接続し、前記サーバを情報伝送路を介してユーザ端末に接続し、前記通信網に接続された情報管理装置により各データベースに格納されたＣＡＤ情報を管理し、前記ユーザ端末に検索対象のＣＡＤ情報を指定する情報が入力されたときに、前記ユーザ端末は、前記指定されたＣＡＤ情報の検索を前記サーバに要請するとともに、該要請に応じて前記サーバから転送される検索結果のＣＡＤ情報をディスプレイに表示し、前記サーバは、前記ユーザ端末からの検索要請に応答して前記指定されたＣＡＤ情報に対応した保存先アドレス情報を抽出し、この保存先アドレス情報を基に前記データベースの保存元アドレス情報を検索し、前記データベースから前記保存元アドレス情報に対応したＣＡＤ情報とこの情報に付加された更新履歴情報を読み出して前記ユーザ端末に転送することを特徴とするＣＡＤ情報管理方法。
【発明の詳細な説明】
【０００１】
【発明の属する技術分野】
本発明は、ＣＡＤ情報管理システムおよびＣＡＤ情報管理方法に係り、特に、ＣＡＤ図面情報を管理するに好適なＣＡＤ情報管理システムおよびＣＡＤ情報管理方法に関する。
【０００２】
【従来の技術】
各種機器などを設計するに際しては、コンピュータを用いて図面を作成することが行われている。コンピュータを用いて作成されたＣＡＤ（ＣｏｍｐｕｔｅｒＡｉｄｅｄ  Ｄｅｓｉｇｎ）図面情報を管理するに際しては、特開平９−９１３２７号公報、特開平９−６２７２８号公報に記載されているように、Ｐ＆ＩＤなどのＣＡＤ図面は一つのプラントメーカあるいは情報管理者内での利用を目的としており、例えば、発電プラント発注者あるいはプラント管理者がプラントメーカあるいは情報管理者の管理下にあるデータベースを利用する場合については配慮されていない。
【０００３】
すなわち、ＣＡＤ図面を作成した者が独自のデータベースにＣＡＤ図面情報を格納し、ＣＡＤ図面情報を生成したプラントメーカあるいは情報管理者がそれぞれのデータベースを利用するようになっている。このため、発電プラント発注者あるいはプラント管理者がプラントメーカあるいは情報管理者の有するデータベースを利用する場合には、ＣＡＤ図面や機器仕様に関する情報を一旦発電プラントメーカあるいは情報管理者の保有するデータベースから取り出し、取り出した情報をプラント発注者あるいはプラント管理者が管理する独自のデータベースに取り込むという操作を行っている。よって、定期検査の進行状態や機器の変更などの新たな情報は、プラントメーカあるいは情報管理者の有するデータベースとは別にプラント発注者あるいはプラント管理者の有するデータベースに記録・管理されている。
【０００４】
【発明が解決しようとする課題】
上記従来の管理方法では、プラント発注者あるいはプラント管理者が複数のプラントメーカあるいは情報管理者の有するＣＡＤ図面あるいは機器仕様情報を利用する場合、プラントメーカなどが有するデータベースに直接アクセスすることができず、プラントメーカなどとは異なったデータベースを新たに設置しなければならない。このため、プラント発注者などが独自のデータベースを構築するのに手間がかかり、しかも、データベースに格納された情報を更新する場合にもプラント発注者とプラントメーカでは別々に行われるため、両者の間に相違が生じる可能性が大きく、プラント発注者などによる情報管理が困難になる可能性がある。特にプラントメーカが多数に渡るときには各メーカが管理する情報の間には同じ製品を対象とした場合でも更新情報などに相違が生じることがある。
【０００５】
本発明の課題は、各メーカが保有するＣＡＤ図面情報または仕様情報が複数のデータベースに分散して格納されている場合でも、ユーザからそれらのＣＡＤ図面情報あるいは仕様情報を容易に閲覧することができるＣＡＤ情報管理システムおよびＣＡＤ情報管理方法を提供することにある。
【０００６】
【課題を解決するための手段】
前記課題を解決するために、本発明のＣＡＤ情報管理システムは、各メーカが保有するＣＡＤ図面情報とＣＡＤ図面に関連する機器仕様に関する情報のうち少なくとも一方のＣＡＤ情報が保存元アドレス情報に対応づけて格納されて各メーカに配置されている複数のデータベースと、前記複数のデータベースにそれぞれ通信網を介して接続され、前記データベースに格納されたＣＡＤ情報を検索して読み出す機能を有するユーザ端末とを備え、前記ユーザ端末は、検索対象のＣＡＤ情報を指定する情報を入力する入力部と、該入力部により指定されたＣＡＤ情報の保存先アドレス情報に基づいて前記通信網を介して前記データベースを検索し、該保存先アドレス情報に対応する前記保存元アドレス情報のＣＡＤ情報を読み出す検索部と、該検索部により読み出されたＣＡＤ情報をディスプレイに表示する表示制御部とを有して構成されてなることを特徴とする。
【０００７】
前記ＣＡＤ情報管理システムを構成するに際しては、複数のデータベースに、ＣＡＤ図面情報と仕様情報のうち少なくとも一方の情報をその更新履歴情報とともに保存元アドレス情報に対応づけて格納し、端末においては、保存先アドレス情報にしたがって検索したときに、いずれかのデータベースから保存元アドレス情報に対応した情報としてＣＡＤ図面情報と仕様情報のうち少なくとも一方の情報を選択して表示するとともに、選択した情報の更新情報を表示するようにすることもできる。
【０００８】
また端末と各データベースとの間にサーバを配置したものとして、ＣＡＤ図面情報とＣＡＤ図面を構成する要素の仕様に関する仕様情報のうち少なくとも一方の情報をその更新履歴情報とともに保存元アドレス情報に対応づけて格納する複数のデータベースと、前記複数のデータベースにそれぞれ通信網を介して接続されて前記各データベースと情報の授受を行うサーバと、前記サーバと情報伝送路を介して接続され、入力情報を基に前記サーバと情報の授受を行う端末とを備え、前記端末は、前記保存元アドレス情報に関連した入力情報として情報の保存先に関連する情報が入力されたときにこの情報に従った検索を前記サーバに要請するとともに、前記サーバの検索結果を表示し、前記サーバは、前記端末からの検索要請に応答して前記情報に対応した保存先アドレス情報を抽出し、この保存先アドレス情報を基に前記いずれかのデータベースの保存元アドレス情報を検索し、この検索により前記いずれかのデータベースから前記保存元アドレス情報に対応した情報としてＣＡＤ図面情報と仕様情報のうち少なく一方の情報とこの情報に付加された更新履歴情報を選択して前記端末に転送してなるＣＡＤ情報管理システムを構成したものである。
【０００９】
前記各ＣＡＤ情報管理システムを構成するに際しては、以下の要素を付加することができる。
【００１０】
（１）前記複数のデータベースは前記ＣＡＤ図面情報と前記仕様情報のうち少なくとも一方の情報を管理する情報管理手段に接続され、前記情報管理手段は、前記端末からの更新要求に対する承認の要否に関する判定結果を前記端末に出力してなり、前記端末は、前記情報管理手段から更新要求を承認したとの判定結果を受けたときには前記複数のデータベースのＣＡＤ図面情報と仕様情報のうち少なくとも一方の情報を更新するとともに、更新された情報に更新に関する更新履歴情報を付加してなる。
【００１１】
（２）前記複数のデータベースには、前記ＣＡＤ図面情報と前記仕様情報のうち少なくとも一方の情報が互いに重複して格納されてなる。
【００１２】
また、本発明は、ＣＡＤ図面情報とＣＡＤ図面を構成する要素の仕様に関する仕様情報のうち少なくとも一方の情報を保存元アドレス情報に対応づけて複数のデータベースに格納し、前記各データベースをそれぞれ通信網を介して端末に接続し、前記通信網に接続された情報管理装置において各データベースに格納されたＣＡＤ図面情報と前記仕様情報を管理するに際して、前記端末に前記保存元アドレス情報に関連した入力情報として情報の保存先を示す保存先アドレス情報が入力されたときに、前記端末は、前記保存先アドレス情報に従って前記いずれかのデータベースの保存元アドレス情報を検索し、この検索により前記いずれかのデータベースから前記保存元アドレス情報に対応した情報を選択して表示することを特徴とするＣＡＤ情報管理方法を採用したものである。
【００１３】
前記ＣＡＤ情報管理方法を採用するに際しては、以下の要素を付加することができる。
【００１４】
（１）前記情報管理装置に前記端末から更新要求が入力されたときに、前記情報管理装置は、前記端末からの更新要求に対して承認の要否に関する判定結果を前記端末に出力し、前記端末は、前記情報管理装置から更新要求を承認したとの判定結果を受けたときには前記複数のデータベースのＣＡＤ図面情報と仕様情報のうち少なくとも一方の情報を更新するとともに、更新された情報に更新に関する更新履歴情報を付加する。
【００１５】
ＣＡＤ情報管理方法を採用するに際しては、端末とデータベースとの間にサーバを設けたときには、データベースの保存元アドレス情報に関連した入力情報として情報の保存先に関連する情報が前記端末に入力されたときに、前記端末は、前記入力された情報に従った検索を前記サーバに要請するとともに、前記サーバの検索結果を表示し、前記サーバは、前記端末からの検索要請に応答して前記情報に対応した保存先アドレス情報を抽出し、この保存先アドレス情報を基に前記いずれかのデータベースの保存元アドレス情報を検索し、この検索により前記いずれかのデータベースから前記保存元アドレス情報に対応した情報としてＣＡＤ図面情報と仕様情報のうち少なく一方の情報とこの情報に付加された更新履歴情報を選択して前記端末に転送することができる。
【００１６】
前記した手段によれば、複数のデータベースにはＣＡＤ図面情報と仕様情報のうち少なくとも一方の情報が保存元を示す保存元アドレス情報に対応づけて格納されているため、端末に情報の保存先を示す保存先アドレス情報が入力されたときには、この保存先アドレス情報にしたがっていずれかのデータベースの保存元アドレス情報を検索することで、いずれかのデータベースから保存元アドレス情報に対応した情報を選択して出力あるいは表示することができ、各データベースにＣＡＤ図面情報や仕様情報が分散して格納されていても、ＣＡＤ図面情報あるいは仕様情報を容易に閲覧することができる。
【００１７】
また、ＣＡＤ図面情報と仕様情報のうち少なくとも一方の情報を選択して表示するとともに、選択した情報の更新情報を表示することで、ＣＡＤ図面情報や仕様情報が訂正されたときの状態を容易に把握することができる。
【００１８】
また、サーバを介してＣＡＤ図面情報や仕様情報を検索するときには、端末の負荷（負担）を軽くすることができる。さらに端末とサーバが分担して処理することで、処理速度を高めることができる。
【００１９】
【発明の実施の形態】
以下、本発明の一実施形態を図面に基づいて説明する。図１は本発明の第１実施形態を示すＣＡＤ情報管理システムの全体構成図である。図１において、相異なる複数の発電プラントメーカが管理するデータベース１０、１１、……２０、２１、…が分散して配置されており、データベース１０にはＡメーカの保有するＣＡＤ図面情報が保存元を示す保存元アドレス情報に対応づけて格納され、データベース１１にはＢメーカの保有するＣＡＤ図面情報が保存元アドレス情報に対応ずけて格納され、データベース２０にはＡメーカの保有する機器仕様情報（ＣＡＤ図面を構成する要素の仕様に関する情報）が保存元アドレス情報に対応づけて格納され、データベース２１にはＢメーカの保有する機器仕様に関する仕様情報が保存元アドレス情報に対応づけて格納されている。そして各データベース１０、１１、……２０、２１……はそれぞれインターネットなどの通信回線３０を介してユーザ端末４０に接続されているとともに、各情報をメーカ毎に管理する情報管理手段としての情報管理装置（図示省略）に接続されている。
【００２０】
ユーザ端末４０は、表示部４１、入出力部４２、情報登録部４３などを備えて構成されている。
【００２１】
具体的には、ユーザ端末４０は、図２に示すように、信号受信部４４、信号発信部４５、ディスプレイ４６、表示制御部４７、検索部４８、情報判断部４９、情報登録部４３、入力部５０を備えて構成されており、入出力部４２としての信号受信部４４と信号発信部４５がそれぞれ通信回線３０に接続され、通信回線３０を介して各データベースとの間で情報の授受が行われるようになっている。
【００２２】
入力部５０は、例えばキーボードで構成されており、ユーザが必要なＣＡＤ図面や機器仕様に関する情報を検索条件、例えばＣＡＤ図面情報または機器仕様に関する仕様情報の保存先を示すデータ保存先アドレス情報を入力すると、検索部４８によって保存先アドレス情報を基にいずれかのデータベースの保存元アドレス情報を検索し、この検索によりいずれかのデータベースから保存元アドレス情報に対応した情報として、ＣＡＤ図面情報または機器仕様に関する仕様情報を選択してディスプレイ４６の画面上に表示させるようになっている。
【００２３】
次に、データベースをアクセスして情報を検索し、検索した情報を閲覧するときの処理を図３のフローチャートにしたがって説明する。まず、ユーザが入力部５０のキーボードを操作して起動が開始されると、ディスプレイ４６の画面上にはＣＡＤ図面の検索図面が表示され、システムは入力待機状態になる（ステップＳ１０１）。この場合、各メーカによって生成されたＣＡＤ図面や機器仕様に関するリストが各データベースの有する固有番号などのデータ保存先アドレス情報とともにリストで表示される。なお、ディスプレイ４６の画面上にＣＡＤ図面が表示されている場合、ユーザが機器仕様の閲覧を指定するまでは入力待機状態となっている。
【００２４】
次に、ディスプレイ４６の画面が検索画面となっているとき、あるいはＣＡＤ図面のリストが提示されているときに、ユーザがそのリスト中をクリックするかあるいはキーボードの操作にしたがって、ＣＡＤ図面の図面、系統、メーカ名、データベース名などが入力されると、これらの操作にしたがって保存先アドレス情報が生成され、この保存先アドレス情報にしたがって、指定のＣＡＤ図面あるいは機器仕様に関する情報を検索するための処理が実行される（ステッ１０３）。
【００２５】
ステップ１０３の処理では、検索部４８は、ＣＡＤ図面あるいは機器仕様に関する情報が保管されているデータベースの有する固有番号など、データ保存先アドレス情報にしたがって信号発信部４５、通信回線３０を介して各データベースの保存元アドレス情報（保存先アドレス情報に対応づけられた情報）を検索する。
【００２６】
この場合、検索部４８は、複数のメーカが有するデータベースを順次アクセスし、保存先アドレス情報に対応した保存元アドレス情報を検索する。すなわち、検索部４８が一つのデータベースを検索しても指定の情報が得られないときには、次のデータベースにアクセスし、検索の操作を繰り返す。そして保存先アドレス情報に対応した保存元アドレス情報が検索されたときには、保存元アドレス情報に対応したＣＡＤ図面あるいは機器仕様に関する情報を指定のデータベースから転送させる（ステップ１０４Ａ）。
【００２７】
指定のデータベースから指定の情報が転送されてきたときには、この情報を信号受信部４４を介して表示制御部４７に取り込み、情報の内容をディスプレイ４６の画面上に表示するとともに、情報登録部４３にデータ保存先アドレス情報を登録する（ステップ１０５）。同時に、該当するＣＡＤ図面に更新履歴に関する情報があるか否かを情報判断部４９で判断し、更新履歴があるときにはその内容もディスプレイ４６の画面上に表示する。このときの表示例を図４に示す。
【００２８】
この場合、ディスプレイ４６の画面上には、弁６０、機器６１、配管６２、ポンプ６３を有するＣＡＤ図面６４が表示されるとともに、ＣＡＤ図面６４の更新履歴がウインド６５に表示され、ウインド６６にはポンプの仕様に関する情報が表示される。またＣＡＤ図面６４にはポンプ６３の更新に関する更新情報６７も表示される。
【００２９】
一方、ステップ１０３の処理で該当するＣＡＤ図面あるいは機器仕様に関する情報が見つからなかった場合には、その旨がディスプレイ４６の画面上に表示され、ステップ１０１の処理に戻る（ステップ１０４Ｂ）。
【００３０】
ディスプレイ４６の画面上に図４に示すようなＣＡＤ図面６４や機器仕様に関する情報が表示されたときには、ユーザはこれらの情報を自由に閲覧することができる（ステップ１０６）。この際、ユーザは欲したときに操作するので、システムとしては待機していることになる。またユーザは閲覧のために種種のツールを使用することができる。
【００３１】
例えば、ＣＡＤ図面に表示された機器の仕様に関する情報を閲覧するための操作を行うと、この機器に関する仕様情報を検索するための処理が指令され、ステップ１０３の処理が開始される。
【００３２】
また、システムの変更などによりＣＡＤ図面あるいは機器仕様に関する情報を訂正あるいは更新したい場合、ユーザはディスプレイ４６の画面上で情報の更新を行うことができる（ステップ１０７）。
【００３３】
例えば、ディスプレイ４６の画面上に表示されているポンプ６３の機器仕様に関する情報を訂正したり、あるいは配管６２の経路などを訂正したりすることができる。
【００３４】
このような情報の訂正あるいは更新に伴う操作が行われると、情報判断部４９において更新の範囲が妥当であるが否かの判断が行われる（ステップ１０８）。すなわち、更新の範囲が、定期検査の情報など、ユーザ固有で使用する範囲に当たるか否か、あるいはＣＡＤ図面あるいは機器仕様など、メーカと共有する範囲に当たるか否かが判断される。
【００３５】
ステップ１０８において、情報判断部４９により、更新の範囲がユーザ固有で使用する範囲と判断された場合、情報判断部４９は、情報登録部４３に登録されたデータ保存先アドレス情報を基に該当するデータベースにアクセスし、データベースに格納されたデータを直接上書き訂正する。このとき同時に、該当のデータベースに保存されていたＣＡＤ図面あるいは機器仕様の更新履歴を更新し、更新完了をディスプレイ４６の画面上に表示する（ステップ１０９Ａ）。
【００３６】
一方、ステップ１０８において、情報判断部４９により、更新の範囲がメーカと共有する範囲に当たると判断したときには、まず、情報判断部４９はメーカに更新を要求し、メーカに更新の承認を依頼する（ステップ１０９Ｂ）。このとき、メーカが更新を承認した場合、メーカの情報管理装置（情報管理手段）からユーザ端末４０に更新承認の通知が転送される。ユーザ端末４０にメーカから更新承認の通知が入力されたときには、情報判断部４９は情報登録部４３に登録されているデータ保存先アドレス情報を基に該当するデータベースにアクセスし、このデータベースに格納されているデータを直接上書き訂正する。同時に、該当するデータベースに保存されているＣＡＤ図面あるいは機器仕様の更新履歴を更新し、更新完了をディスプレイ４６の画面上に表示する（ステップ１０９Ｃ）。
【００３７】
ステップ１０８の処理においてメーカが更新を承認しない場合には、メーカからユーザ端末４０に対して更新非承認の通知が転送される。この場合、情報判断部４９は更新が承認されなかった旨をディスプレイ４６の画面上に表示し（ステップ１１１）、このルーチンでの処理を終了する。
【００３８】
本実施形態によれば、異なるメーカが保有するデータベースが分散して配置されていても、ユーザ端末４０から保存先アドレス情報にしたがった検索を行うことで、各データベースに分散して格納されているＣＡＤ図面情報や機器仕様情報を容易に閲覧することができる。また、許容された範囲内ではユーザによって情報を更新することができる。さらに更新履歴が表示されるため、更新時期などをユーザが容易に把握することができる。
【００３９】
次に、本発明の第２実施形態を図５にしたがって説明する。本実施形態は、各データベース１０〜２１とユーザ端末４０との間にサーバ７０を配置し、各データベースとサーバ７０とをインターネットなどの通信回線３０を介して接続し、サーバ７０とユーザ端末４０とを情報伝送路７１を介して接続し、ユーザが必要なＣＡＤ図面や機器仕様に関する情報を検索する場合、サーバ７０内において、データ保存先アドレス情報で管理されたＣＡＤ図面や機器仕様のアドレス情報を参照し、このアドレス情報を基に各データベースをアクセスして情報を選択するようにしたものであり、他の構成は図１のものと同様である。
【００４０】
次に、図５に示すシステムの作用を図６のフローチャートにしたがって説明する。まず、ユーザの操作によって起動が開始されると、ディスプレイ４６の画面上には検索図面が表示され、システムは入力待機状態となる。なお、既にＣＡＤ図面がディスプレイ４６の画面上に表示されている場合は、ユーザが機器仕様の閲覧を指定するまで入力待機状態となっている（ステップ１０１）。
【００４１】
次に、検索図面となっている場合など、ＣＡＤ図面を指定するに際して、ユーザがリスト中の指定の欄をクリックしたり、あるいは直接ＣＡＤ図面の図番、系統、メーカ名、データベース名などをキーボードから入力する操作を行うと、希望のＣＡＤ図面が１枚あるは複数枚指定される（ステップ１０２、１０６）。すなわち、このステップでは既にＣＡＤ図面が表示されていたときには、ユーザは、該当するＣＡＤ図面中の機器仕様を閲覧したり、ＣＡＤ図面上の機器をクリックしたり、直接ＣＡＤ図面上の機器の固有番号などをキーボードから入力するなどの操作を行うことで、希望の機器が複数台あるいは１台指定されることになる。
【００４２】
ユーザがリスト中の指定の欄をクリックすると、ユーザの指定による情報が検索部４８に入力され、検索部４８はステップ１０２でユーザが入力した情報をサーバ７０に転送し、サーバ７０に対して、ＣＡＤ図面あるいは機器仕様の検索の要請を行う（ステップ２０１）。このときサーバ７０は、予めサーバ７０内のメモリに登録してあるＣＡＤ図面あるいは機器仕様に関する情報と各データベースの有する固有番号などのデータ保存元アドレス情報との対応関係を示す情報を検索し、検索した情報から保存先アドレス情報を求め、このデータ保存先アドレス情報を基に各データベースのデータ保存元アドレス情報を検索する（ステップ２０２）。
【００４３】
サーバ７０が各データベースを順次検索し、データ保存先アドレス情報に対応したデータ保存元アドレス情報が見つかったときには、データ保存元アドレス情報に対応したＣＡＤ図面あるいは機器仕様に関する情報をデータベースに対して転送を指示し、それを受けたデータベースは指定のＣＡＤ図面あるいは機器仕様に関する情報をサーバ７０を通してユーザ端末４０へ転送する（ステップ２０３Ａ）。
【００４４】
サーバ７０からユーザ端末４０に指定のＣＡＤ図面あるいは機器仕様に関する情報が転送されると、検索部４８はディスプレイ４６の画面上に情報の内容を表示させるとともに、情報登録部４３にデータ保存先アドレス情報を登録する（ステップ１０５）。同時に、該当するＣＡＤ図面に更新に関する情報があるか否かを判断し、ＣＡＤ図面に付属する更新履歴がある場合には、更新履歴に関する情報をディスプレイ４６の画面上に表示する。なお、ステップ２０２の処理で該当するＣＡＤ図面あるいは機器仕様に関する情報が見つからなかったときには、その旨をサーバ７０からユーザ端末４０に転送し、ステップ１０１の処理に戻る（ステップ２０３Ｂ）。
【００４５】
次に、データベースからの情報がサーバ７０を介してユーザ端末４０に転送され、その内容がディスプレイ４６の画面上に表示されたときには、ユーザはディスプレイ４６の画面上に表示されたＣＡＤ図面あるいは機器仕様を自由に閲覧することができる（ステップ１０６）。
【００４６】
この際、ユーザは欲したときに操作するので、システムとしては待機していることになる。またユーザは閲覧のために種種のツールを使用することができる。
【００４７】
例えば、ＣＡＤ図面に表示された機器の仕様に関する情報を閲覧するための操作を行うと、この機器に関する仕様情報を検索するための処理が指令され、ステップ２０１の処理が開始される。
【００４８】
また、システムの変更などにより、ＣＡＤ図面あるいは機器仕様に関する情報を訂正あるいは更新したい場合、ユーザはディスプレイ４６の画面上で情報の更新を行うことができる（ステップ１０７）。
【００４９】
ステップ１０７においてユーザによる情報の更新操作が行われると、検索部４８はサーバ７０に対して更新請求の要請と更新内容を転送する処理を行う（ステップ２０４）。このとき同時に、更新請求を行うＣＡＤ図面あるいは機器仕様の保存先アドレス情報を情報登録部４３から取り出してサーバ７０に転送する。
【００５０】
サーバ７０は、更新請求が要請されたときには、更新の範囲が妥当であるか否かの判断を行う（ステップ２０５）。例えば、更新の範囲が、定期検査の情報など、ユーザ固有で使用する範囲に当たるか否かを判断したり、ＣＡＤ図面あるいは機器仕様など、メーカと共有する範囲に当たるか否かを判断する（ステップ２０５）。このとき、ユーザ固有で使用する範囲と判断された場合、サーバ７０はユーザ端末４０からの受信情報に従ったデータ保存先アドレス情報を基に該当するデータベースをアクセスし、該当するデータベースのデータを直接上書き訂正する（ステップ２０６Ａ）。このとき同時に、該当するデータベースに保存されているＣＡＤ図面あるいは機器仕様の更新履歴を更新し、更新完了をユーザ端末４０に転送する。
【００５１】
サーバ７０から更新に関する通知を受けたユーザ端末４０は、ディスプレイ４６の画面上に更新完了の旨を表示する（ステップ２０７）。
【００５２】
一方、ステップ２０５において、更新の範囲がメーカと共有する範囲に当たるとサーバ７０が判断した場合、サーバ７０はメーカに更新を請求し、メーカに更新の判断を要請する（ステップ２０６Ｂ）。
【００５３】
メーカが更新を承認した場合、メーカの情報管理装置からサーバ７０に対して更新承認の通知が転送される（ステップ２０８Ａ）。
【００５４】
一方、ステップ２０５において、更新範囲がユーザ固有で使用する範囲と判断された場合は、サーバ７０はユーザ端末から受信したデータ保存先アドレス情報を基に該当するデータベースをアクセスし、該当するデータベースのデータを直接上書き訂正する（ステップ２０６Ａ）。このとき同時に、該当するデータベースに保存されているＣＡＤ図面あるいは機器仕様の更新履歴を更新し、更新完了をユーザ端末４０に転送する。
【００５５】
ユーザ端末４０では、サー７０から更新の通知を受けたときには、検索部４８の処理によってディスプレイ４６の画面上には更新完了の旨が表示される（ステップ２０７）。
【００５６】
一方、ステップ２０６Ｂの処理においてメーカが更新を承認しない場合、メーカからサーバ７０に対して更新非承認の通知が転送され、サーバ７０からユーザ端末４０に対して更新非承認の通知が転送される（ステップ２０９）。このときユーザ端末４０においては、検索部４８の処理によりディスプレイ４６の画面上に更新非承認の旨を表示し（ステップ２１０）、このルーチンでの処理を終了する。
【００５７】
本実施形態によれば、異なるメーカが保有するデータベースが分散して配置されていても、ユーザ端末４０からサーバ７０を介して各データベースに対して保存先アドレス情報にしたがった検索を行うことで、各データベースに分散して格納されているＣＡＤ図面情報や機器仕様情報を容易に閲覧することができる。また、許容された範囲内ではユーザによって情報を更新することができる。
【００５８】
さらに本実施形態によれば、前記実施形態とは異なり、サーバ７０を設置することで、サーバ７０とユーザ端末４０とが行う処理を分担することができ、処理速度を高めることができる。
【００５９】
また、本実施形態によれば、必要な情報を選択あるいは更新することができ、発電プラント発注者あるいは管理者は効率良くＣＡＤ図面および機器に関する情報を管理することができる。
【００６０】
【発明の効果】
以上説明したように、本発明によれば、保存先アドレス情報にしたがっていずれかのデータベースの保存元アドレス情報を検索するようにしたため、いずれかのデータベースから保存元アドレス情報に対応した情報を選択して出力あるいは表示することができ、各データベースにＣＡＤ図面情報や仕様情報が分散して格納されていても、ＣＡＤ図面情報あるいは仕様情報を容易に閲覧することができる。
【図面の簡単な説明】
【図１】本発明の第１実施形態を示すＣＡＤ情報管理システムの全体構成図である。
【図２】ユーザ端末のブロック構成図である。
【図３】図１に示すシステムの作用を説明するためのフローチャートである。
【図４】ＣＡＤ図面の表示例を示す図である。
【図５】本発明の第２実施形態を示すＣＡＤ情報管理システムの全体構成図である。
【図６】図５に示すシステムの作用を説明するためのフローチャートである。
【符号の説明】
１０、１１、２０、２１  データベース
３０  通信回線
４０  ユーザ端末
４１  表示部
４２  入出力部
４３  情報登録部
４４  信号受信部
４５  信号発信部
４６  ディスプレイ
４７  表示制御部
４８  検索部
４９  情報判断部
５０  入力部
７０  サーバ
【図１】
0003817689.tif 000002
【図２】
0003817689.tif 000003
【図３】
0003817689.tif 000004
【図４】
0003817689.tif 000005
【図５】
0003817689.tif 000006
【図６】
0003817689.tif 000007